(57)【要約】【課題】波長分離するフィルタを通過したＡＳＥ光のレベルに影響を受けずに光信号の成分を補正して各波長のＯＳＮＲ劣化を防止する。【解決手段】制御パラメータ算出部１１０は、分波器のフィルタにより波長分離された各波長の光信号のレベルを、光信号雑音比の情報に基づいて算出する。アンプ出力レベル制御部１１２は、算出された光信号のレベルをもとに、全ての波長の光信号のレベルが目標のレベルとなるようＰｒｅアンプ３０１により補正する。ＶＯＡ制御部１１１は、算出された光信号のレベルをもとに、ＶＯＡ１０１ａ〜１０１ｃにより各波長間の光信号のレベル偏差を補正する。【選択図】図１
2010154104.tif 000002
【特許請求の範囲】
【請求項１】
フィルタにより波長分離された各波長の光信号のレベルを、光信号雑音比の情報に基づいて算出する算出手段と、
前記算出手段により算出された光信号のレベルをもとに、全ての波長の光信号のレベルが目標のレベルとなるよう光アンプ増幅により補正するアンプ制御手段と、
前記算出手段により算出された光信号のレベルをもとに、各波長間の光信号のレベル偏差を補正する偏差補正手段と、
を備えたことを特徴とするＷＤＭ伝送装置。
【請求項２】
前記算出手段に対し、前記光信号雑音比の情報が各波長の上流に位置する外部の装置から入力されることを特徴とする請求項１に記載のＷＤＭ伝送装置。
【請求項３】
入力された光信号を波長分離する分波器および前記分波器の後段に配置された合波器と、
前記分波器と合波器との間に設けられ、任意の波長の光信号をＡｄｄ／Ｄｒｏｐさせる光スイッチと、
前記分波器と合波器との間に設けられ、各波長間の光信号のレベル偏差を補正する偏差補正手段と、
前記合波器の後段に設けられ、全ての波長の光信号のレベルを光増幅する光アンプと、
前記合波器および分波器が有するフィルタにより波長分離された各波長の光信号のレベルを、光信号雑音比の情報に基づいて算出する算出手段と、
前記算出手段により算出された光信号のレベルをもとに、前記光アンプの出力レベルが目標のレベルとなるよう補正するアンプ制御手段と、
前記算出手段により算出された光信号のレベルをもとに、前記偏差補正手段を制御して各波長間の光信号のレベル偏差を補正する偏差補正手段と、
を備えたことを特徴とする光分岐挿入装置。
【請求項４】
ＷＤＭ伝送装置が有するフィルタにより波長分離された各波長の光信号のレベルを、光信号雑音比の情報に基づいて算出する算出工程と、
前記算出工程により算出された光信号のレベルをもとに、全ての波長の光信号のレベルが目標のレベルとなるよう光アンプ増幅により補正させるアンプ制御工程と、
前記算出工程により算出された光信号のレベルをもとに、各波長間の光信号のレベル偏差を補正させる偏差補正工程と、
を含むことを特徴とするＷＤＭ伝送方法。
【請求項５】
前記算出工程は、所定波長の光信号により所定波長を用いた光伝送の運用開始前の状態において、当該所定波長の光信号をＯｎ／Ｏｆｆさせることにより前記フィルタを通過したＡＳＥ光のレベルに基づいて、当該所定波長の光信号の光信号のレベルを算出することを特徴とする請求項４に記載のＷＤＭ伝送方法。
【発明の詳細な説明】
【技術分野】
【０００１】
この発明は、波長多重伝送方式（ＷＤＭ：Ｗａｖｅｌｅｎｇｔｈ  Ｄｉｖｉｓｉｏｎ  Ｍｕｌｔｉｐｌｅｘｅｒ）における光信号の出力パワーを補正するＷＤＭ伝送装置、光分岐挿入装置およびＷＤＭ伝送方法に関する。
【背景技術】
【０００２】
近年、情報通信量の増加に伴い、大容量の光ファイバ通信システムの導入が進んでいる。大容量化を実現する手法として、複数の波長（チャンネル：ｃｈ）を多重して伝送するＷＤＭ方式が提案されており、波長（ｃｈ）多重数を増加させることにより低コスト運用が可能となっている。また、Ｐｏｉｎｔ−ｔｏ−ＰｏｉｎｔのＷＤＭシステムではなく、ｃｈ毎に任意の局（都市）でＡｄｄ／Ｄｒｏｐすることが可能な光分岐挿入装置（ＯＡＤＭ：Ｏｐｔｉｃａｌ  Ａｄｄ−Ｄｒｏｐ  Ｍｕｌｔｉｐｌｅｘｅｒ）の導入が進んでいる。これにより、大容量の信号を長距離伝送させ、かつ柔軟なネットワークを構築することができる。
【０００３】
光伝送システムでは、信号の伝送品質を表すパラメータとして光信号雑音比（ＯＳＮＲ）が一般に用いられ、この値の大小によってシステムの伝送距離が制限される。図１０−１は、通信システムの中継区間の構成を示す図である。通信システム中の一つの単位（中継区間、スパンとも呼ぶ）は、所定長の光ファイバ１５００と中継器１５０１によって構成されている。図１０−２〜図１０−４は、中継区間内の各箇所における信号レベルを示す図である。横軸は波長、縦軸は光強度である。ＷＤＭシステムでは、光ファイバ１５００に複数の信号を入射し（（１）Ｌｉｎｅ＿ｉｎ）、所定長の光ファイバ１５００の損失によって低下した信号レベル（（２）ＲＥＰ＿ｉｎ）を中継器１５０１で増幅して、出力する（（３）ＲＥＰ＿ｏｕｔ）。実際のシステムでは、図１０−１に示した１区間の構成を複数の区間として構成して信号を伝送するが、この中継器１５０１での増幅の際、アンプで発生する雑音（ＡＳＥ）がＯＳＮＲを劣化させる。この劣化の程度によって何回中継（何スパン伝送）することができるか、つまり伝送可能距離が決まる。どの程度のＯＳＮＲが発生するかは、下記（式１）に示す通り、アンプの雑音指数（ＮＦ）とアンプへの入力レベルで決まる。
【０００４】
ＯＳＮＲ＝Ｐｉｎ-ＮＦ＋定数［単位ｄＢ］…  （式１）
定数：ｈνΔｆ（ｈ：プランク乗数、ν：光周波数、Δｆ：規格化帯域）
【０００５】
ここで、アンプのＮＦをある固定値とすると、ＯＳＮＲの大小を決めるのは、中継器１５０１のアンプへの入力レベルとなる。つまり、入力レベルが下がるとそれだけＯＳＮＲが劣化し、その結果、伝送距離が短くなってしまう。一般的な伝送装置では、このレベル低下がなるべく起こらないよう様々な制御を行っている。この制御の代表的なものとして次の二つがある。一つはレベル等化（利得等化）、もう一つはＡＳＥ補正である。
【０００６】
まず、レベル等化について説明する。図１１−１〜図１１−３は、ｃｈ間レベル偏差の補正を説明する図である。図１１−１に示すような伝送路入力（１）Ｌｉｎｅ＿ｉｎ、あるいは図１１−２に示すような中継器１５０１のアンプ入力部（２）ＲＥＰ＿ｉｎにてｃｈ間にレベル偏差ΔＰがある場合（ｃｈ平均レベルは図１０と同じとする）を想定する。この場合、図１１−３に示すように、各ｃｈのＯＳＮＲは、上記の（式１）にしたがってレベルの低いｃｈ（λ１など）は、中継器通過後（３）ＲＥＰ＿ｏｕｔのＯＳＮＲが劣化する。このｃｈ（λ１）が伝送距離を制限し、結果、システムの性能に制限が生じる。この問題に対しては、ｃｈ間のレベル偏差（利得偏差、あるいはチルトとも呼ばれる）をシステム側でキャンセルすることにより、ＯＳＮＲの悪い特定ｃｈのレベルを上げて伝送距離の制約を解消しようとする技術がある（例えば、下記特許文献１参照。）。
【０００７】
次に、ＡＳＥ補正について説明する。図１２−１〜図１２−３は、ＡＳＥ補正を説明する図である。ＷＤＭアンプは、通常、アンプ出力の合計パワー［ｄＢｍ］をモニタし、このパワーをターゲット値（ｃｈあたりの所要出力レベルｘ波長数）に制御することで、ｃｈあたりの出力レベル［ｄＢｍ／ｃｈ］を常に一定に保っている。しかし、図１２−１に示すように、波長数が数波程度と少ない場合には、モニタする合計パワーの中に占めるＡＳＥパワーの割合が大きくなるため、このＡＳＥパワーの割合を考えずに単純にアンプ出力レベルの制御を行うと、ｃｈあたりのレベルが低下する（（１）Ｌｉｎｅ＿ｉｎ（ひとつ上流側のＲＥＰ＿ｏｕｔに相当））。この結果、図１２−２に示すように、中継器に入力されるｃｈあたりの信号光レベルが低下し（（２）ＲＥＰ＿ｉｎ）、その結果、図１２−３に示すようにＯＳＮＲ劣化が起こる（（３）ＲＥＰ＿ｏｕｔ）。この問題に対しては、各ｃｈの信号光成分と、アンプ増幅帯域のＡＳＥ光成分とを物理的に分離し、信号光成分が所望の値になるようにアンプを制御するＡＳＥ補正の技術がある（例えば、下記特許文献２参照。）。
【０００８】
上述の技術を用いてｃｈのレベル低下を防げばＯＳＮＲ劣化を防ぐことができ、伝送距離の伸張が期待できる。しかし、上述したレベル等化とＡＳＥ補正の２つの対策を行ったとしても、さらにＯＳＮＲを劣化させる他の要因がある。これは、アンプＡＳＥレベルのばらつきによるＯＳＮＲ劣化である。図１３−１、図１３−２は、ＡＳＥレベルが平坦ではない場合のＡＳＥ補正対策を示す図である。図１３−１に示すように、ＡＳＥレベルが平坦ではなく高いｃｈがあると、このｃｈでは相対的にＯＳＮＲが劣化するため、このｃｈが伝送距離を制限することになる。この問題に対しては、図１３−２に示すように、下流側、理想的には受信器が置かれた最下流の受信ノードにおいて、ｃｈ間のＯＳＮＲ偏差がなくなるよう、上流側のノードでＯＳＮＲが悪いｃｈのレベルを予め高めるよう、信号レベルに偏差をもたせておくプリエンファシスの手法がある。
【０００９】
以上の構成によれば、伝送後のｃｈ間ＯＳＮＲ偏差をなくすことができ、特定ｃｈの光信号のＯＳＮＲ劣化を防ぎ、伝送距離の長距離化が可能になる。
【００１０】
【特許文献１】特開２０００−２０９１６０号公報
【特許文献２】特開２００２−３６８３１５号公報
【発明の開示】
【発明が解決しようとする課題】
【００１１】
しかしながら、最近導入が活発なＯＡＤＭシステムにおいては、上述の対策では解消できずＯＳＮＲ劣化を引き起こす要素を有している。ＯＡＤＭシステムではＡｄｄ／Ｄｒｏｐサイトにおいて、ＷＤＭ信号を一旦各ｃｈの成分に分離して信号処理を行うが、問題となるのは、この分離された各ｃｈの成分の中に、信号光成分とＡＳＥ光成分の両方が含まれていることであり、これがＯＳＮＲ劣化を起こす要素となる。
【００１２】
図１４−１は、ＯＡＤＭノードを示す図である。ＯＡＤＭノード１７００は、Ｐｒｅアンプ１７０１の後段に分波器１７０２ａが設けられ、その後段に合波器１７０２ｂが設けられ、これら分波器１７０２ａと合波器１７０２ｂとの間において光信号がＡｄｄ／Ｄｒｏｐされる。合波器１７０２ｂの後段にはＰｏｓｔアンプ１７０３が設けられる。
【００１３】
図１４−２は、ＯＡＤＭ通過後に観測される（見かけ上の）光スペクトルを示す図である。合分波器１７０２ａ，１７０２ｂによって上流側で累積した余分なＡＳＥが除去されるため、Ｐｏｓｔアンプ１７０３のＡＳＥスペクトルのみが重畳されたように観測される。
【００１４】
図１４−３は、ＯＡＤＭ通過後の実際の光スペクトルを示す図である。図１４−２と異なり、実際には、合分波器１７０２ａ、１７０２ｂのフィルタが有する信号通過帯域内のＡＳＥ（Ｐａｓｅ＿ａｃｃ）は除去されないので、図１４−３のように、信号光成分とＡＳＥ光成分を合計したスペクトルが観測されることになる。ここで問題となるのは、上述したレベル等化、ＡＳＥ補正、プリエンファシスの技術は、信号光成分とＡＳＥ光成分を合計したスペクトルに対して行うため、実際に合分波器１７０２ａ、１７０２ｂのフィルタ内を通過する信号レベルに対して正しい制御を行うことができない。
【００１５】
例えば、ＡＳＥ補正に関して述べると、図１４−３において、従来方法ではＰｏｓｔアンプのＡＳＥスペクトルのみを考慮して補正を行うため、観測される信号スペクトルは図中点線で示すように、ターゲットレベルとなるように制御されるが、実際の信号スペクトル（Ｐｓｉｇ）は、観測された信号スペクトルに対しフィルタ通過帯域内のＡＳＥレベルの分だけ低下しており、これがＯＳＮＲ劣化を引き起こす要因となる。
【００１６】
図１５−１は、ＯＡＤＭシステムの構成図を示す図である。また、図１５−２は、ＯＡＤＭのＰｏｓｔアンプ後段での光スペクトルを示す図である。実際のＯＡＤＭシステムでは図１５−１に示すように、複数のＯＡＤＭ１７００が縦列接続され、様々な光パスを通過するｃｈが混在するため、図１５−２に示すように、Ｐｏｓｔアンプ１７０３の出力点Ｃでは、各ｃｈ毎にＯＳＮＲが異なる。したがって、ｃｈ毎に合分波器のフィルタを通過するＡＳＥ量が異なる。その結果、ｃｈ毎に信号レベルが異なる。上述したようなＡＳＥ補正によりＰｏｓｔアンプの出力パワーを一定量だけ上昇させる制御では各ｃｈをいずれも最適なレベルにあわせることはできない。
【００１７】
図１６−１は、従来技術のＷＤＭ伝送により観測される（見かけ上の）ＯＳＮＲを示す図である。横軸はスパン数、縦軸はＯＳＮＲである。図１４−２に示した各ｃｈの信号レベルを均一とする制御を行ったが、図１５−２に示すようなｃｈ間のばらつきが生じたことを前提とした計算例である。この図は、３波のＷＤＭ伝送を想定した計算結果であり、合計１５スパンを伝送した際の、各スパンにおけるＯＳＮＲの変化を計算した例である。計算条件は、中継アンプＮＦ：５ｄＢ、中継アンプ入力：−３０ｄＢｍ／ｃｈ、中継アンプ出力：０ｄＢｍ／ｃｈ、中継ノードのｃｈ合分波フィルタ帯域幅：７０ＧＨｚ、送信ＯＳＮＲ：ｃｈ１  ２２ｄＢ、ｃｈ２  １６ｄＢ、ｃｈ３  ２８ｄＢである。フィルタ帯域を通過するＡＳＥレベルを考慮しない場合、観測される信号スペクトルは常に目標値である０ｄＢｍ／ｃｈが維持される。
【００１８】
図１６−２は、従来技術のＷＤＭ伝送によりフィルタ内のＡＳＥ光成分を考慮せずに伝送した場合の各スパンの信号入力レベルを示す図である。横軸はスパン数、縦軸は入力レベルである。この図に示すように、実際に入力レベル中に含まれている信号光成分のパワーは、スパン数を重ねる毎に低下しており、結果としてＯＳＮＲ劣化を引き起こす。つまり、図１６−１でみれば伝送後のＯＳＮＲが１０ｄＢ程度で観測されていても、図１６−２に示すように、実際のＯＳＮＲはさらに１〜２ｄＢ程度悪いため、伝送距離がその分（この例では３０〜４０％程度劣化）短くなってしまう。また、各ｃｈでＯＳＮＲが異なるため、特にＯＳＮＲの悪いｃｈ２についてはレベル低下量も大きくなっている。このようなｃｈ間偏差は、上述した従来発明で補正することはできない。
【００１９】
開示のＷＤＭ伝送装置、光分岐挿入装置およびＷＤＭ伝送方法は、上述した問題点を解消するものであり、波長分離するフィルタを通過したＡＳＥ光のレベルに影響を受けずに光信号の成分を補正して各波長のＯＳＮＲ劣化を防止することを目的とする。
【課題を解決するための手段】
【００２０】
上述した課題を解決し、目的を達成するため、開示技術は、フィルタにより波長分離された各波長の光信号のレベルを、光信号雑音比の情報に基づいて算出し、算出された光信号のレベルをもとに、全ての波長の光信号のレベルが目標のレベルとなるよう光アンプ増幅により補正するとともに、算出された光信号のレベルをもとに、各波長間の光信号のレベル偏差を補正することを要件とする。
【００２１】
上記構成によれば、フィルタを通過する波長毎のＡＳＥ光のレベルが異なっても、各波長の光信号のレベルを求めることができ、光信号レベルに基づいて光信号のレベル補正を実行できる。
【発明の効果】
【００２２】
開示のＷＤＭ伝送装置、光分岐挿入装置およびＷＤＭ伝送方法によれば、複数の波長それぞれにおけるＡＳＥ光のレベルが異なっても光信号の出力レベルおよび波長間のレベル偏差を適切に補正でき、ＯＳＮＲ劣化を防止できるという効果を奏する。これにより、光信号の受信端でのＯＳＮＲ偏差をなくして光信号の伝送距離を長距離化できる。
【発明を実施するための最良の形態】
【００２３】
以下に添付図面を参照して、このＷＤＭ伝送装置、光分岐挿入装置およびＷＤＭ伝送方法の好適な実施の形態を詳細に説明する。このＷＤＭ伝送装置は、１．全ｃｈの信号レベルが目標値となるようにあわせる処理と、２．各ｃｈ間の信号レベル偏差をなくす処理とを行う。この際、各ｃｈのＯＳＮＲの情報を用いて、各ｃｈの光信号のレベルを検出する。これにより、合分波器が有するフィルタ通過後のｃｈ間の信号レベルとｃｈ間のＡＳＥレベルが異なっても、全ｃｈの実際の信号レベルを均一にして出力でき、光信号の受信端でのＯＳＮＲ偏差をなくすことができる。これにより、ＯＡＤＭ等のスパン数の増大に対応でき伝送距離の長距離化が達成可能である。
【００２４】
（ＷＤＭ伝送装置の概要）
図１は、ＷＤＭ伝送装置の概要を示すブロック図である。図中実線は光信号の経路、図中点線は電気信号の制御経路である。ＷＤＭ伝送装置１００は、波長分離された後の各ｃｈの波長λ（λ１〜λ３）のそれぞれの光信号レベルを可変させる光可変減衰器（ＶＯＡ）１０１ａ〜１０１ｃと、各ｃｈの光信号をそれぞれ分岐させるカプラ１０２ａ〜１０２ｃと、カプラ１０２ａ〜１０２ｃにより分岐された光パワーＰ１〜Ｐ３を個別に検出する第１の光パワーモニタ１０３とを備える。
【００２５】
各ｃｈの波長（λ１〜λ３）の光信号は、合波器（Ｍｕｘ）１０４で合波された後、Ｐｏｓｔアンプ１０５で全ｃｈに対して一括した光増幅がなされ、出力される。出力される光信号は、カプラ１０６による分岐側に接続された第２の光パワーモニタ１０７により全ｃｈの合計パワーＰ＿ｐｏｓｔが検出される。
【００２６】
制御パラメータ算出部１１０には、第１の光パワーモニタ１０３により検出された各ｃｈの波長の光パワーＰ１〜Ｐ３と、第２の光パワーモニタ１０７により検出された全ｃｈの合計パワーＰ＿ｐｏｓｔが入力される。また、光信号のレベル補正用の目標信号レベルＰｔｇｔ［ｄＢｍ］と、合分波器の通過帯域幅ＢＷ［ｎｍ］が予め設定保持されている。また、外部から各ｃｈの波長λ（λ１〜λ３）毎のＯＳＮＲ（ＯＳＮＲ１〜ＯＳＮＲ３）が入力される。制御パラメータ算出部１１０は、これらの情報に基づき、ＶＯＡ制御部１１１を介して上記２．の制御、すなわち、各ｃｈのＶＯＡ１０１ａ〜１０１ｃの光減衰量を個別な制御信号Ｖ１〜Ｖ３により制御するとともに、上記１．の制御、すなわち、アンプ出力レベル制御部１１２を介してＰｏｓｔアンプ１０５の出力レベルを制御信号Ｐ＿ａｌｃにより一括制御する。
【００２７】
ＶＯＡ制御部１１１は、偏差補正手段として機能し、アンプ出力レベル制御部１１２は、アンプ制御手段として機能し、制御パラメータ算出部１１０は、ＯＳＮＲその他のパラメータの算出手段として機能するとともに、ＶＯＡ制御部１１１と、アンプ出力レベル制御部１１２を制御する。
【００２８】
図２−１〜図２−４は、それぞれ光信号の補正状態を示す図である。横軸は波長、縦軸は光強度である。このＷＤＭ伝送装置１００による光信号を補正する以前の初期状態としては、従来の技術で説明した各種の制御、すなわち、レベル等化、ＡＳＥ補正、プリエンファシスが実施された後の状態であるとする。なお、プリエンファシスを実施した場合は、各ｃｈのスペクトルピーク（図１２中点線のピーク）がそれぞれ異なっているのが一般的だが、ここでは理解のしやすさを考慮してピークが一定であったとして説明する。
【００２９】
まず、図２−１に示すように、各ｃｈの合計パワー（点線：Ｐｓｉｇ＋Ｐａｓｅ＿ａｃｃ）は、従来の制御によってターゲット値Ｐｔｇｔ［ｄＢｍ／ｃｈ］を設定する。具体的には、ａ）Ｐｏｓｔアンプ１０５の出力について、第１の光パワーモニタ１０３により検出される各ｃｈのレベルがフラットになるよう合波前の各ｃｈパワー（Ｐ１，Ｐ２，Ｐ３）を各ＶＯＡ１０１ａ〜１０１ｃの減衰量を制御してレベル等化し、ｂ）Ｐｏｓｔアンプ１０５の出力の全ｃｈが所望の目標信号レベルＰｔｇｔになるよう第２の光パワーモニタ１０７によりＰ＿ｐｏｓｔをモニタしながらＡＳＥ補正を実施し、ｃ）必要に応じてプリエンファシスを実施する。図中点線は装置が検出可能な光信号のレベルであり、実線は実際の光信号のレベルである。
【００３０】
次に、制御パラメータ算出部１１０は、上記の補正処理の実施に必要なパラメータを準備する。便宜上、カッコ内には図１の対応箇所を記載してある。
（１．装置内部での検出によって得られる装置運用状態のパラメータ）
各ｃｈの合波前合計パワー：Ｐｍ（Ｐ１，Ｐ２，Ｐ３）［ｄＢｍ］
各ｃｈのレベル制御量（現状値）：Ｖｍ（Ｖ１，Ｖ２，Ｖ３）［ｄＢ］
（ｍ：ｃｈ番号）
Ｐｏｓｔアンプ１０５の出力合計パワー：Ｐ＿ｐｏｓｔ［ｄＢｍ］
【００３１】
（２．予め装置に保持されているパラメータ）
信号のターゲットレベル：Ｐｔｇｔ［ｄＢｍ／ｃｈ］…システム設計で決まる一意の値
合分波器の通過帯域幅：ＢＷ［ｎｍ］
プリエンファシス量：ΔＶｐｅ＿ｍ［ｄＢ］…各ｃｈに対するプリエンファシス設定値
これらは図示しないが、制御パラメータ算出部１１０内部等のメモリ（記憶手段）に設定保持されている。
【００３２】
（３．外部から入力されるネットワーク運用状態のパラメータ）
各ｃｈの光信号雑音比ＯＳＮＲ：ＯＳＮＲｍ（ＯＳＮＲ１，ＯＳＮＲ２，ＯＳＮＲ３）［ｄＢ］
（ｍ：ｃｈ番号）
運用ｃｈ数：Ｌ  …計算による、もしくは装置内測定器によって取得する。詳細は後述する。
【００３３】
以上の１．〜３．の各パラメータを用い、以下に説明する手順で制御を実施する。以下に説明する式中のパラメータは全て真数とする。
（１）各ｃｈの実際の信号レベルＰｓｉｇ＿ｍを算出する。
各ｃｈの合波前合計パワーＰｍと、光信号雑音比ＯＳＮＲｍから、Ｐｓｉｇ＿ｍを算出する。この際、以下の関係を利用する。
Ｐｍ＝Ｐｓｉｇ＿ｍ＋Ｐａｓｅ＿ａｃｃ＿ｍ…（式２）
ＯＳＮＲｍ＝Ｐｓｉｇ＿ｍ／｛Ｐａｓｅ＿ａｃｃ＿ｍｘ（０．１／ＢＷ）｝…（式３）
（Ｐａｓｅ＿ａｃｃ＿ｍはｃｈ毎のＡＳＥパワー）
【００３４】
以上からＰｓｉｇ＿ｍを求める。
Ｐｓｉｇ＿ｍ＝Ｐｍｘ［１／｛（ＢＷ／０．１）ｘ（１／ＯＳＮＲｍ）＋１｝］…（式４）
【００３５】
（２）次に、図２−２に示すように、全ｃｈの信号レベル平均値（Ｐｓｉｇ＿ａｖｅ）を算出する。
Ｐｓｉｇ＿ａｖｅ＝（ΣＰｓｉｇ＿ｍ）／Ｌ…（式５）
次に、必要なレベル補正量を求める。全帯域に渡って必要なＷＤＭ帯域レベル補正量は、Ｐｃｍｐ＿ａｍｐ：ＰｔｇｔとＰｓｉｇ＿ａｖｅの差分である。
Ｐｃｍｐ＿ａｍｐ＝Ｐｔｇｔ／Ｐｓｉｇ＿ａｖｅ…（式６）
各ｃｈ毎に必要なレベル補正量（Ｐｃｍｐ＿ｍ：Ｐｓｉｇ＿ａｖｅとＰｓｉｇ＿ｍの差分）
Ｐｃｍｐ＿ｍ＝Ｐｓｉｇ＿ａｖｅ／Ｐｓｉｇ＿ｍ…（式７）
【００３６】
次に、図２−３に示す補正を実施する。ここでは、Ｐｏｓｔアンプ１０５の出力パワーを補正する。
Ｐ＿ｐｏｓｔ’＝Ｐ＿ｐｏｓｔｘＰｃｍｐ＿ａｍｐ…（式８）
これにより、図２−３に示すように、全ｃｈの光信号について、全ｃｈの信号レベル平均値（Ｐｓｉｇ＿ａｖｅ）が信号のターゲットレベルＰｔｇｔまで引き上げられる。図示の例では、波長λ２のｃｈの光信号の実際のレベル（図中実線）がターゲットレベルＰｔｇｔとなる。
【００３７】
この後、図２−４に示すｃｈ間補正を実行する。各ｃｈのＶＯＡ１０１ａ〜１０１ｃの設定値を補正する。
Ｖｍ’＝ＶｍｘＰｃｍｐ＿ｍｘΔＶｐｅ＿ｍ…（式９）
これにより、各ｃｈの光信号の実際のレベル（図中実線）がターゲットレベルＰｔｇｔとなる。
【００３８】
上記の処理を実施した結果、最適なプリエンファシス量が変化した場合は、上記制御を実施した後に改めてプリエンファシスを実施しなおす。以上の補正処理によって、光信号に対する実際のレベルを考慮した最適なレベル設定が可能となり、ｃｈ間のＯＳＮＲ偏差をなくすことができ、システム性能を最大限に引き出せるようになる。この状態で全てのｃｈのＯＳＮＲ劣化が解消された状態の光信号を出力することができるようになる。
【００３９】
（実施の形態１）
図３は、実施の形態１にかかるＷＤＭ伝送装置の機能的構成を示すブロック図である。このＷＤＭ伝送装置は、ネットワーク上の一つのノードに配置されるＯＡＤＭ３００である。便宜上、図１と同一の構成部には同一の符号を付して説明を省略する。ＯＡＤＭ３００は、Ｐｒｅアンプ３０１と分波器（Ｄｅｍｕｘ）３０２とを備え、分波器３０２により各ｃｈ別の波長λに分波される構成である。この分波器３０２の後段の各ｃｈには、図１で説明したＶＯＡ１０１ａ〜１０１ｃ、合波器（Ｍｕｘ）１０４等が配置されている。また、不図示であるが分波器３０２と、合波器１０４の間の各波長の経路には、任意の波長の光信号をＡｄｄ／Ｄｒｏｐさせるための光スイッチがそれぞれ設けられる。
【００４０】
分波器３０２および合波器１０４が有する通過帯域（ＢＷ）については、予め実測された値をデータベースとして制御パラメータ算出部のメモリ等に記憶設定させておく。また、この実施の形態１では、各ｃｈのＯＳＮＲ情報は、監視制御光（ＯＳＣ）に載せてこのＯＡＤＭ３００の上流側の装置（例えば該当するｃｈの光信号の経路上前段のＯＡＤＭ装置）から転送される。監視制御光は、Ｐｒｅアンプ３０１あるいは図示しないカプラにより主の光信号から分離され、制御パラメータ算出部１１０に入力される。各スパンのＯＳＮＲは、各スパンに配置されるＰｒｅアンプ３０１のＮＦ特性と入力レベルで決まるため、予めＮＦ情報をＰｒｅアンプ３０１に記憶させておき、システム運用時に各スパン毎に、入力レベルをもとにＯＳＮＲを算出し、これを監視制御光（ＯＳＣ）に載せて下流側のＯＡＤＭ３００に転送する。
【００４１】
制御パラメータ算出部１１０には、外部のネットワーク管理部（Ｃｏｎｔｒｏｌ  Ｐｌａｎｅ）３１０が接続される。制御パラメータ算出部１１０には、ネットワーク管理部３１０から各ｃｈが通過したスパンの情報（パス情報）が入力される。そして、制御パラメータ算出部１１０は、ＯＳＮＲ情報と各ｃｈのパス情報とにより、各ｃｈのＯＳＮＲを算出する。例えば、上流側から各スパンをＳｐａｎ１，Ｓｐａｎ２，…，ＳｐａｎＸと定義し、各スパンでのＯＳＮＲをＯＳＮＲ＿ｓ１，ＯＳＮＲ＿ｓ２，…，ＯＳＮＲ＿ｓＸとして算出する。
【００４２】
具体的には、ｃｈ１のパスがＳｐａｎ２〜Ｓｐａｎ４であれば、ｃｈ１のＯＳＮＲ（＝ＯＳＮＲ１）は、
ＯＳＮＲ１＝１／｛（１／ＯＳＮＲ＿ｓ２）＋（１／ＯＳＮＲ＿ｓ３）＋（１／ＯＳＮＲ＿ｓ４）｝（単位は真数）…（式１０）
で求められる。
【００４３】
図４は、実施の形態１による制御処理の手順を示すフローチャートである。制御処理は、大別してパラメータ収集処理（ステップＳ４１）と、制御量の算出処理（ステップＳ４２）と、補正の実施処理（ステップＳ４３）とによって構成されている。まず、初期状態においてパラメータ収集処理（ステップＳ４１）を行う。このパラメータ収集処理（ステップＳ４１）では、制御パラメータ算出部１１０のメモリ等に記憶された情報である、信号のターゲットレベルＰｔｇｔと、合分波器の通過帯域幅ＢＷとを読み出す（ステップＳ４１１）。また、ネットワーク（ＮＷ）運用状態の情報として、各ｃｈの光信号雑音比ＯＳＮＲｍと、運用ｃｈ数Ｌとを読み出す（ステップＳ４１２）。また、装置運用状態の情報として、各ｃｈの合波前合計パワーＰｍと、各ｃｈの現状のレベル制御量Ｖｍと、Ｐｏｓｔアンプ１０５の出力合計パワーＰ＿ｐｏｓｔとを読み出す（ステップＳ４１３）。ここで、プリエンファシス量ΔＶｐｅ＿ｍ［ｄＢ］を読み出してもよい。
【００４４】
次に、制御量の算出処理（ステップＳ４２）では、上記（式６）を用いてＷＤＭ帯域レベル補正量Ｐｃｍｐ＿ａｍｐを算出する（ステップＳ４２１）。また、上記（式７）を用いて各ｃｈ毎に必要なレベル補正量Ｐｃｍｐ＿ｍを算出する（ステップＳ４２２）。この後、ＷＤＭ帯域レベル補正量Ｐｃｍｐ＿ａｍｐおよび各ｃｈ毎に必要なレベル補正量Ｐｃｍｐ＿ｍが収束判定条件に達しているか判断する（ステップＳ４３０）。具体的には、図２−３に示すように、全ｃｈの信号レベル平均値Ｐｓｉｇ＿ａｖｅが信号のターゲットレベルＰｔｇｔに一致したか判断する。また、図２−４に示すように、各ｃｈの光信号の実際のレベルがターゲットレベルＰｔｇｔに一致したか判断する。
【００４５】
ステップＳ４３０の収束判定条件を満たすまでの間（ステップＳ４３０：Ｎｏ）の期間は、ステップＳ４３に示す補正処理が実施される。この補正処理ステップＳ４３は、ＷＤＭ帯域レベルの補正（ステップＳ４３１）と、各ｃｈレベルの補正（ステップＳ４３２）を行う。この処理は、上述した全ｃｈの信号レベル平均値Ｐｓｉｇ＿ａｖｅがターゲットレベルＰｔｇｔに一致するようＶＯＡ制御部１１１がＶＯＡ１０１ａ〜１０１ｃの減衰量を制御する。また、各ｃｈの光信号の実際のレベルがターゲットレベルＰｔｇｔに一致するようアンプ出力レベル制御部１１２がＰｏｓｔアンプ１０５の出力レベルを制御する。この制御により、ステップＳ４１３における装置運用状態（モニタ値）が変化するため、再度ステップＳ４２，Ｓ４３の処理を実行することにより、最終的には、ステップＳ４３０の収束判定条件を満たせば（ステップＳ４３０：Ｙｅｓ）、補正の制御処理が終了する。
【００４６】
上述した補正の制御処理において、ステップＳ４３１のＷＤＭ帯域レベルの補正と、ステップＳ４３２の各ｃｈレベルの補正は、いずれを先に処理してもよい。このように、実施の形態１の構成によれば、ネットワーク運用状態のパラメータであるＯＳＮＲと、運用ｃｈ数の情報を収集することにより、実際のｃｈ毎の光信号のレベルを検出することができるため、この実際の光信号のレベルを目標値であるターゲットレベルＰｔｇｔに収束させることができる。このように、光信号に対する実際のレベルを考慮した最適なレベル設定が可能となるため、ＯＡＤＭ３００は、ｃｈ間のＯＳＮＲ偏差をなくした状態の光信号を出力できるようになる。これにより、光ネットワーク全体における光信号の伝送距離を長距離化することができるようになる。
【００４７】
（実施の形態２）
図５は、実施の形態２にかかるＷＤＭ伝送装置の機能的構成を示すブロック図である。実施の形態１と同様の構成には同一の符号を付してあり、この実施の形態２の構成では、光スペクトラムアナライザ５０１を配置した点が異なる。光スペクトラムアナライザ５０１は、Ｐｒｅアンプ３０１の出力あるいは図示しないカプラを介して接続され、ＯＡＤＭ３００に入力された各ｃｈの波長の光スペクトルを測定することができ、ＯＳＮＲの情報を外部から取得せずともＯＡＤＭ３００内部で実測できる。
【００４８】
このように、ネットワーク上に配置された各ＯＡＤＭ３００のＰｒｅアンプ３０１の出力部に光スペクトラムアナライザ５０１を配置し、各ＯＡＤＭ−ＯＡＤＭ区間のＯＳＮＲをそれぞれ実測する。なお、Ｉｎ−Ｌｉｎｅ局でＤｒｏｐされる信号はないので、ＯＡＤＭ−ＯＡＤＭ単位のＯＳＮＲが分かればよいため、スパン毎にＯＳＮＲを実測する必要はない。各ｃｈのＯＳＮＲを算出する際は、ネットワーク管理部（Ｃｏｎｔｒｏｌ  Ｐｌａｎｅ）３１０から各ｃｈが通過したスパンの情報を入手し、監視制御光（ＯＳＣ）で転送されてきたＯＳＮＲ情報とあわせて計算で求めればよい。この算出方法は、実施の形態１と同様である。
【００４９】
この光スペクトラムアナライザ５０１は、各ｃｈの運用開始時にだけこのｃｈの光信号が経由するＯＡＤＭ３００に接続してＯＳＮＲを実測する構成としてもよい。実測後の各ｃｈのＯＳＮＲの値は制御パラメータ算出部１１０に記憶保持しておけばよい。
【００５０】
（実施の形態３）
図６は、実施の形態３にかかるＷＤＭ伝送装置の機能的構成を示すブロック図である。実施の形態３では、上記実施の形態１，２において用いたＶＯＡ１０１ａ〜１０１ｃに代わってｃｈレベル調整機能をレベル等化器６０１で構成した例である。ｃｈ毎の光信号のレベルを調整する部分以外は、実施の形態１と同様である。レベル等化器６０１としては全帯域を一括して利得制御し、各ｃｈのレベル偏差を等化させる汎用のデバイスを用いるが、光スペクトラムアナライザの機能を内蔵したものを用いる。レベル等化器６０１は、合波器１０４によって光信号を合波した後の光スペクトルをモニタし、光信号のピークレベルが上述した目標値であるターゲットレベルＰｔｇｔとなるよう制御を行う。この実施の形態３によれば、カプラ１０２ａ〜１０２ｃは不要となる。
【００５１】
（実施の形態４）
上述した各実施の形態では、各ｃｈの実際の信号レベルＰｓｉｇ＿ｍを上記の（式４）を用いて算出する構成とした。この実施の形態４では、実際の信号レベルＰｓｉｇ＿ｍを実測で直接的に求める構成である。これはＯＳＮＲ情報を算出する構成に相当する。
【００５２】
図７は、実施の形態４にかかるＷＤＭ伝送装置の概要構成を示す図である。図に示すｃｈ２（波長λ２）、ｃｈ３（λ３）が運用中のネットワークであり、ｃｈ１（λ１）を新たに増設する場合に、このｃｈ１に対して以下の処理を行う。ｃｈ１の光信号の経路は、ＯＡＤＭ１でＡｄｄされ、ＯＡＤＭ４からＤｒｏｐされる。したがって、受信端であるＯＡＤＭ４の直前に配置されたＯＡＤＭ３において以下の処理を行い、ＯＡＤＭ４にＯＳＮＲ情報を送信する。
【００５３】
図８は、実施の形態４による制御処理の手順を示すフローチャートである。この実施の形態４における制御処理においても、図４同様の各処理を実行する。図８に示した各処理は、図４のステップＳ４１３に示した装置運用状態（モニタ値）の情報収集のうち、ＯＳＮＲ情報の収集に該当する。また、図９−１および図９−２は、ネットワーク経路中における各ｃｈの光信号およびＡＳＥのレベルを示す図である。
【００５４】
まず、ｃｈ１を従来手法（レベル等化、ＡＳＥ補正、プリエンファシス）の処理を行って増設する。この状態でＯＡＤＭ３では、図９−１に示す光信号のレベルが測定される。次に、増設ｃｈの経路に存在する光アンプおよびｃｈレベル制御を停止（Ｆｒｅｅｚｅ）する（ステップＳ８０１）。具体的には、このｃｈ１の場合、ＯＡＤＭ１〜ＯＡＤＭ４のそれぞれに設けられた光アンプ（Ｐｒｅアンプ３０１、Ｐｏｓｔアンプ１０５）であり、ｃｈレベル制御は、ＶＯＡ１０１ａ〜１０１ｃであり、これらをＬｏｃｋ  Ｕｐし、制御を止める。
【００５５】
次に、ｃｈ１はＯＡＤＭ１で光信号をＡｄｄしているため、ｃｈ１の信号をＯｆｆにする（ステップＳ８０２）。すなわち、増設したｃｈ１がＡｄｄされるＯＡＤＭ１のレベル制御をＯｆｆにして光信号のレベルを０にする。このとき、Ｏｆｆにする直前のｃｈ１の光信号のレベル（ｃｈ１の合波前合計パワーＰ１）を第１の光パワーモニタ１０３で検出し、制御パラメータ算出部１１０に記憶保持しておく。このように、ｃｈ１の光信号の経路途中に介在する光アンプのＡＳＥレベル、およびｃｈレベル調整機能を停止させた状態にする。
【００５６】
これにより、図９−２に示すように、ｃｈ１の光信号の経路途中のＯＡＤＭノード３のＰｏｓｔアンプ１０５の出力スペクトルに、合分波器３０２，１０４のフィルタを通過したｃｈ１のＡＳＥ光のみが現れ、増設ｃｈの波長におけるＡＳＥ光のレベルを測定する（ステップＳ８０３）。具体的には、このＡＳＥ光を第１の光パワーモニタ１０３で検出すれば、Ｐａｓｅ＿ａｃｃ１を実測することが可能となる。これにより、上記（式２）に示した各ｃｈの合波前合計パワーＰ１を制御パラメータ算出部１１０から読み出し、ＡＳＥ光のレベルＰａｓｅ＿ａｃｃ１の実測値とに基づいて、ｃｈ１の実際の信号レベルＰｓｉｇ＿１を得ることができる。この際、（式４）を用いる必要がない。また、（式３）を用いてＯＳＮＲｍを得ることができる（ステップＳ８０４）。この後、増設したｃｈ１の光信号を再びＯｎにして終了する。この際、Ｏｆｆする直前の状態を復元しておけばよい。この後は、ｃｈ１の光信号による運用が開始され、ＯＡＤＭ４は、ＯＡＤＭ３から送信されたｃｈ１の実際の信号レベルＰｓｉｇ＿１に基づいて補正の制御処理を行う。
【００５７】
上記処理に限らず、ステップＳ８０３では、ＯＡＤＭ３に光スペクトラムアナライザ５０１を設け、光スペクトラムアナライザ５０１にてＰａｓｅ＿ａｃｃ１と、合分波器の通過帯域幅：ＢＷに適合させて分解能０．１ｎｍのＰａｓｅ＿ａｃｃ１とを実測し、上記（式３）を用いてＯＳＮＲ１を容易に算出することができるようになる。
【００５８】
以上説明した補正の制御処理は、コンピュータ実行可能なプログラムとして構成することができる。具体的には、図１、図３等に記載の制御パラメータ算出部１１０をＣＰＵ、ＲＯＭ、ＲＡＭ等により構成する。そして、上述した制御処理の各工程のプログラムをＣＰＵが実行すればよい。また、このプログラムをＲＯＭ等の記録媒体に格納してＣＰＵが読み出し実行する構成とすることもできる。
【００５９】
以上説明したように、開示のＷＤＭ伝送装置、光分岐挿入装置およびＷＤＭ伝送方法によれば、波長多重のフィルタを通過したＡＳＥ光成分を把握でき、各波長（各ｃｈ）の実際の光信号のレベルを算出できる。これにより、各波長のＯＳＮＲを最適に調整して出力でき、ＯＳＮＲ劣化を防止できる。
【００６０】
上述した実施の形態に関し、さらに以下の付記を開示する。
【００６１】
（付記１）フィルタにより波長分離された各波長の光信号のレベルを、光信号雑音比の情報に基づいて算出する算出手段と、
前記算出手段により算出された光信号のレベルをもとに、全ての波長の光信号のレベルが目標のレベルとなるよう光アンプ増幅により補正するアンプ制御手段と、
前記算出手段により算出された光信号のレベルをもとに、各波長間の光信号のレベル偏差を補正する偏差補正手段と、
を備えたことを特徴とするＷＤＭ伝送装置。
【００６２】
（付記２）前記算出手段に対し、前記光信号雑音比の情報が各波長の上流に位置する外部の装置から入力されることを特徴とする付記１に記載のＷＤＭ伝送装置。
【００６３】
（付記３）前記算出手段には、外部の装置から各波長の光信号の経路の情報が入力され、当該経路の情報に基づき前記光信号雑音比の情報を求めることを特徴とする付記１または２に記載のＷＤＭ伝送装置。
【００６４】
（付記４）前記光信号雑音比の情報を測定する光スペクトラムアナライザを備えたことを特徴とする付記１に記載のＷＤＭ伝送装置。
【００６５】
（付記５）前記算出手段は、所定波長の光信号により所定波長を用いた光伝送の運用開始前の状態において、当該所定波長の光信号をＯｎ／Ｏｆｆさせることにより前記フィルタを通過したＡＳＥ光のレベルに基づいて、当該所定波長の光信号の光信号のレベルを算出することを特徴とする付記１に記載のＷＤＭ伝送装置。
【００６６】
（付記６）前記偏差補正手段は、各波長の前記光信号のレベルを個別に可変させる光可変減衰器であることを特徴とする付記１〜５のいずれか一つに記載のＷＤＭ伝送装置。
【００６７】
（付記７）前記偏差補正手段は、各波長の前記光信号の合波後レベルを調整自在なレベル等化器であることを特徴とする付記１〜５のいずれか一つに記載のＷＤＭ伝送装置。
【００６８】
（付記８）入力された光信号を波長分離する分波器および前記分波器の後段に配置された合波器と、
前記分波器と合波器との間に設けられ、任意の波長の光信号をＡｄｄ／Ｄｒｏｐさせる光スイッチと、
前記分波器と合波器との間に設けられ、各波長間の光信号のレベル偏差を補正する偏差補正手段と、
前記合波器の後段に設けられ、全ての波長の光信号のレベルを光増幅する光アンプと、
前記合波器および分波器が有するフィルタにより波長分離された各波長の光信号のレベルを、光信号雑音比の情報に基づいて算出する算出手段と、
前記算出手段により算出された光信号のレベルをもとに、前記光アンプの出力レベルが目標のレベルとなるよう補正するアンプ制御手段と、
前記算出手段により算出された光信号のレベルをもとに、前記偏差補正手段を制御して各波長間の光信号のレベル偏差を補正する偏差補正手段と、
を備えたことを特徴とする光分岐挿入装置。
【００６９】
（付記９）ＷＤＭ伝送装置が有するフィルタにより波長分離された各波長の光信号のレベルを、光信号雑音比の情報に基づいて算出する算出工程と、
前記算出工程により算出された光信号のレベルをもとに、全ての波長の光信号のレベルが目標のレベルとなるよう光アンプ増幅により補正させるアンプ制御工程と、
前記算出工程により算出された光信号のレベルをもとに、各波長間の光信号のレベル偏差を補正させる偏差補正工程と、
を含むことを特徴とするＷＤＭ伝送方法。
【００７０】
（付記１０）前記算出工程は、所定波長の光信号により所定波長を用いた光伝送の運用開始前の状態において、当該所定波長の光信号をＯｎ／Ｏｆｆさせることにより前記フィルタを通過したＡＳＥ光のレベルに基づいて、当該所定波長の光信号の光信号のレベルを算出することを特徴とする付記９に記載のＷＤＭ伝送方法。
【図面の簡単な説明】
【００７１】
【図１】ＷＤＭ伝送装置の概要を示すブロック図である。
【図２−１】光信号の補正状態を示す図である（その１）。
【図２−２】光信号の補正状態を示す図である（その２）。
【図２−３】光信号の補正状態を示す図である（その３）。
【図２−４】光信号の補正状態を示す図である（その４）。
【図３】実施の形態１にかかるＷＤＭ伝送装置の機能的構成を示すブロック図である。
【図４】実施の形態１による制御処理の手順を示すフローチャートである。
【図５】実施の形態２にかかるＷＤＭ伝送装置の機能的構成を示すブロック図である。
【図６】実施の形態３にかかるＷＤＭ伝送装置の機能的構成を示すブロック図である。
【図７】実施の形態４にかかるＷＤＭ伝送装置の概要構成を示す図である。
【図８】実施の形態４による制御処理の手順を示すフローチャートである。
【図９−１】ネットワーク経路中における各ｃｈの光信号およびＡＳＥのレベルを示す図である（その１）。
【図９−２】ネットワーク経路中における各ｃｈの光信号およびＡＳＥのレベルを示す図である（その２）。
【図１０−１】通信システムの中継区間の構成を示す図である。
【図１０−２】中継区間内の各箇所における信号レベルの図である（その１）。
【図１０−３】中継区間内の各箇所における信号レベルの図である（その２）。
【図１０−４】中継区間内の各箇所における信号レベルの図である（その３）。
【図１１−１】ｃｈ間レベル偏差の補正を説明する図である（その１）。
【図１１−２】ｃｈ間レベル偏差の補正を説明する図である（その２）。
【図１１−３】ｃｈ間レベル偏差の補正を説明する図である（その３）。
【図１２−１】ＡＳＥ補正を説明する図である（その１）。
【図１２−２】ＡＳＥ補正を説明する図である（その２）。
【図１２−３】ＡＳＥ補正を説明する図である（その３）。
【図１３−１】ＡＳＥレベルが平坦ではない場合のＡＳＥ補正対策を示す図である（その１）。
【図１３−２】ＡＳＥレベルが平坦ではない場合のＡＳＥ補正対策を示す図である（その２）。
【図１４−１】ＯＡＤＭノードを示す図である。
【図１４−２】ＯＡＤＭ通過後に観測される光スペクトルを示す図である。
【図１４−３】ＯＡＤＭ通過後の実際の光スペクトルを示す図である。
【図１５−１】ＯＡＤＭシステムの構成図を示す図である。
【図１５−２】ＯＡＤＭのＰｏｓｔアンプ後段での光スペクトルを示す図である。
【図１６−１】従来技術により観測される見かけ上のＯＳＮＲを示す図である。
【図１６−２】従来技術によりフィルタ内のＡＳＥ光成分を考慮せずに伝送した場合の各スパンの信号入力レベルを示す図である。
【符号の説明】
【００７２】
１００  ＷＤＭ伝送装置
１０１ａ〜１０１ｃ  光可変減衰器（ＶＯＡ）
１０２ａ〜１０２ｃ，１０６  カプラ
１０３  第１の光パワーモニタ
１０４  合波器
１０５  Ｐｏｓｔアンプ（光アンプ）
１０７  第２の光パワーモニタ
１１０  制御パラメータ算出部
１１１  ＶＯＡ制御部
１１２  アンプ出力レベル制御部
３００  ＯＡＤＭ
３０１  Ｐｒｅアンプ（光アンプ）
３０２  分波器
【図１】
2010154104.tif 000003
【図２−１】
2010154104.tif 000004
【図２−２】
2010154104.tif 000005
【図２−３】
2010154104.tif 000006
【図２−４】
2010154104.tif 000007
【図３】
2010154104.tif 000008
【図４】
2010154104.tif 000009
【図５】
2010154104.tif 000010
【図６】
2010154104.tif 000011
【図７】
2010154104.tif 000012
【図８】
2010154104.tif 000013
【図９−１】
2010154104.tif 000014
【図９−２】
2010154104.tif 000015
【図１０−１】
2010154104.tif 000016
【図１０−２】
2010154104.tif 000017
【図１０−３】
2010154104.tif 000018
【図１０−４】
2010154104.tif 000019
【図１１−１】
2010154104.tif 000020
【図１１−２】
2010154104.tif 000021
【図１１−３】
2010154104.tif 000022
【図１２−１】
2010154104.tif 000023
【図１２−２】
2010154104.tif 000024
【図１２−３】
2010154104.tif 000025
【図１３−１】
2010154104.tif 000026
【図１３−２】
2010154104.tif 000027
【図１４−１】
2010154104.tif 000028
【図１４−２】
2010154104.tif 000029
【図１４−３】
2010154104.tif 000030
【図１５−１】
2010154104.tif 000031
【図１５−２】
2010154104.tif 000032
【図１６−１】
2010154104.tif 000033
【図１６−２】
2010154104.tif 000034